(57)【要約】【課題】本発明は、農耕地や山野林の活用したままの自然地面を架台土台となし、発電パネルと共生せしめることを特徴とする太陽光のメガソ−ラ−発電パネル装置を提供する。【解決手段】メガソ−ラ−太陽光発電パネルの支柱土台となる土地を、死に土地にすることなく、又、新たに造成することもなく、現使用中の農耕地や山野の営林を活用しながら、架台支柱の土台土地にして、自然の土地を共に共生して利用することを特徴とすると共に、ソ−ラ−発電パネルは、表裏両面の発電機能として発電効果を倍加させ、太陽の周期周遊の動きに沿ってパネル面を太陽光の照射面に常に対向せしめる追尾操作を農作者の人力による手動操作として農作業の僅かな余裕時間を当てることにより低価格に抑えることと規模の大きさによって新たに雇用を創出することを特徴とした農耕及び山野営林との共生を特徴とするメガソ−ラ−発電パネル装置【選択図】図１
2014107530.tif 000002
【特許請求の範囲】
【請求項１】
メガソ−ラ−太陽光発電パネルの支柱土台となる土地を、死に土地にすることなく、又、新たに造成することもなく、現使用中の農耕地や山野の営林を活用しながら、架台支柱の土台土地にして、自然の土地を共に共生して利用することを特徴とすると共に、ソ−ラ−発電パネルは、表裏両面の発電機能として発電効果を倍加させ、太陽の周期周遊の動きに沿ってパネル面を太陽光の照射面に常に対向せしめる追尾操作を、農作者の人力による手動操作として農作業の僅かな余裕時間を当てることにより低価格に抑えることと規模の大きさによって新たに雇用を創出することを特徴とした農耕及び山野営林との共生を特徴とするメガソ−ラ−発電パネル装置。
【発明の詳細な説明】
【技術分野】
【０００１】  本発明は、農耕地や山野林の活用したままの自然地面を架台土台となし、発電パネルと共生せしめることを特徴とする太陽光のメガソ−ラ−発電パネル装置に関する。
【背景技術】
【０００２】  近年、電力不足を補う次世代の再生可能なエネルギ−として安全でクリ−ンな太陽光発電による電力供給の技術が脚光を浴びて居り、太陽光発電パネルの設置が随所に見受けられるようになった。【０００３】  しかして、この太陽光発電パネルの設置場所は、工場や一般家屋等の屋根上面に設置普及されてはいるが、一戸ごと立地条件が異なる上、条件によっては、設置不可能となり、又、電力への変換効率も良くないことから、大規模面積を擁するメガソ−ラ−パネルを設置する発電事業が随所に企画されるようになった。
【発明の概要】
【発明が解決しようとする課題】
【０００４】  メガソ−ラ−太陽光発電事業に於いては、かなりの大規模面積を必要とすることから、その設備をする土台となる土地面積の確保が要件となっているが、所要の場所に広大な土地を得ることは至難のことで、例え設備可能な土地を確保出来ても、発電効果は遠くに飛ばす程、電力の効率は落ちるので、従来は事業推進の大きな課題となっている。【０００５】  更には、ソ−ラ−パネルを設置する支柱の土台となる土地は、農耕地や草地平原の場合は、太陽の当たらない死に土地になってしまい、土地としては使い手のない、広大な無駄な地球空間が出現することになる。
【課題を解決するための手段】
【０００６】  本発明は、メガソ−ラ−太陽光発電パネルの支柱土台となる土地を、死に土地にすることなく、又、新たに造成することもなく、現使用中の農耕地や山野の営林を活用しながら、架台支柱の土台土地にして、自然の土地を共に共生して利用することを特徴とする。【０００７】  ソ−ラ−パネルは太陽光照射面の裏面にも裏パネルを設け、反射盤を併置して発電を機能せしめるか、表裏両面に張って発電素子を機能させた両面発電パネルを用いて発電効果を倍加させ、太陽の周期周遊に沿ってパネル面を太陽光の照射面に常に対向せしめる追尾操作を農作者の人力による手動操作として農作業の僅かな余裕時間を当てることにより低価格に抑えることと規模の大きさによって新たに雇用を創出することを特徴とする。
【発明の効果】
【０００８】  本発明によれば、メガソ−ラ−太陽光発電事業に於いて、従来、死に土地となるソ−ラ−パネルの下側の土壌面を、そのまま農耕地や山野営林地として活かし、ソ−ラ−パネルは、表裏両面に機能させた発電作用を付加して発電効果を倍加させ、メガソ−ラ−太陽光発電事業と共生させることにより、広大な死に土地を発生させることなくメガソ−ラ−太陽光発電事業を推進する効果があり、更には、太陽光照射面の追尾操作を農作業の僅かな余裕時間の一部を当てることにより人力の手操作で低価格に抑えるとともに、追尾操作に携わる人員の雇用にも繋がる効果がある。
【図面の簡単な説明】
【０００９】
【図１】  本発明の農耕地の実施例を示した側面図である。
【図２】  本発明の山野林の実施例を示した側面図である。
【発明を実施するための最良の形態】
【００１０】  本発明は、メガソ−ラ−太陽光発電パネルの支柱土台となる土地を、死に土地にすることなく、又、新たに造成することもなく、現使用中の農耕地や山野の営林を活用しながら、架台支柱の土台土地にして、自然の土地を共に共生して利用することを特徴とし、ソ−ラ−パネルは、表裏両面機能の両面発電パネルで発電させ、太陽の周期周遊に沿ってパネル面を太陽光の照射面に常に対向せしめる追尾操作を農作者の人力による手動操作として農作業の僅かな余裕時間を当てることにより低価格に抑えることと規模の大きさによって新たに人員雇用を創出することを特徴としたものである。【００１１】  実施例として、農耕地にあっては、現に、農作物を栽培中の農地にメガソ−ラ−パネルの可傾台（４）を有する架台（３）を架設設置するものとし、この場合、鏡或いは、アルミ板を張った反射盤（５）を、発電パネル（１）の裏面の裏パネル（２）に対向して併置して設け、太陽光をパネル下の土壌部分にも照射するよう配列を整え、農作物に栽培する農耕地として活用を続け、平地農業と共生することを特徴とする。【００１２】  パネル群は、両面発電パネルを使用するか、或いは、夫々パネル面を地面に向けた太陽光発電パネルを裏パネルとして裏打ちして構成し、休耕田や沼地湿地の場合は、水を張って、反射盤（５）を、裏パネルに対向して水面に浮かべて設け、裏パネルの傾きに合わせて手動で角度を変えて追尾させ、鏡等の反射盤に照射された入力太陽光を反射せしめ裏パネル面に照射せしめて発電を倍加せしめることを特徴とする。鏡の四側縁にはプラズマを取り付ける。【００１３】  山野林の場合は、森林で、根を張った活きたままの自然生育の樹木群を、設置するメガソ−ラ−パネルの架台とするもので、パネル架台の高さに応じた根からの高さ寸法に上部を伐採して切り落とし、土壌（９）の中に根（８）を張った活きたままの自然生育の樹木下半部（７）をそのまま発電パネル（６）の架台とするものである。【００１４】  この場合、メガソ−ラ−の下側の土地部分や空土地の部分には、太陽光の照射を必要としない作物、例えば、しいたけ，ぜんまい，わらび等を作付けし、場合によっては、動物の飼育も行い、山野営林農業と共生することを特徴とする。【００１５】  農耕地と山野林の何れの場合でも、農耕林業作業に必要な水は、雨水を溜めて調整し、電力無料の散水設備を使用する。
【符号の説明】
【００１６】１  発電パネル
２  裏パネル
３  架台
４  可傾台
５  反射盤
６  発電パネル
７  樹木下半部
８  根
９  土壌
【図１】
2014107530.tif 000003
【図２】
2014107530.tif 000004